(57)【要約】【課題】液体試料中の粒子の画像を正確に解析できる粒子画像解析装置及び粒子画像解析方法を提供する。【解決手段】粒子画像解析装置１は、フローセルと、フローセル内を流れる液体試料の画像を撮影する撮像部４と、制御部１１とを備える。制御部１１には、グルーピング処理部１１３が含まれる。粒子画像解析装置１において、撮像部４により撮影された複数の画像のうち、連続して撮影された画像中に粒子の画像が含まれる場合には、グルーピング処理部１１３によりそれらの粒子は同一のグループとしてグループ化される。そのため、撮像部４により撮影された複数の画像に同一の粒子の画像が重複して含まれる場合に、その同一の粒子の画像をグループ化することができる。【選択図】  図２
2019100988.tif 000002
【特許請求の範囲】
【請求項１】
液体試料中の粒子の画像を解析するための粒子画像解析装置であって、
液体試料が流れる流路と、
前記流路内の少なくとも一部を含む撮影領域の画像を撮影する撮像部と、
前記撮像部により得られた画像に含まれる粒子の画像をグループ化するためのグルーピング処理を行うグルーピング処理部とを備え、
前記撮像部は、前記流路内を流れる液体試料中の粒子が前記撮影領域を通過する時間よりも短い間隔で、前記撮影領域の画像を複数撮影し、
前記グルーピング処理部は、前記撮像部により得られた複数の画像のうち、連続して撮影された２つ以上の画像中に粒子の画像が含まれる場合に、それらの２つ以上の画像中の粒子を同一のグループとすることを特徴とする粒子画像解析装置。
【請求項２】
前記グルーピング処理部は、前記２つ以上の画像中の粒子の形状に基づいて、それらの粒子を同一のグループとするか否かを決定する請求項１に記載の粒子画像解析装置。
【請求項３】
前記グルーピング処理部により同一のグループとされた２つ以上の画像中の粒子をグループごとに表示させる表示処理部をさらに備えることを特徴とする請求項１又は２に記載の粒子画像解析装置。
【請求項４】
前記グルーピング処理部は、前記流路内を流れる液体試料の流速が相対的に遅い場合にのみ前記グルーピング処理を行うことを特徴とする請求項１〜３のいずれか一項に記載の粒子画像解析装置。
【請求項５】
前記グルーピング処理部は、前記流路内に液体試料を流すためのポンプの流量、又は、前記撮像部により撮影を行う時間間隔に基づいて、前記流路内を流れる液体試料の流速が相対的に遅いか否かを判断することを特徴とする請求項４に記載の粒子画像解析装置。
【請求項６】
液体試料中の粒子の画像を解析するための粒子画像解析方法であって、
液体試料が流れる流路内の少なくとも一部を含む撮影領域の画像を撮影する撮像ステップと、
前記撮像ステップにより得られた画像に含まれる粒子の画像をグループ化するグルーピングステップとを含み、
前記撮像ステップでは、前記流路内を流れる液体試料中の粒子が前記撮影領域を通過する時間よりも短い間隔で、前記撮影領域の画像を複数撮影し、
前記グルーピングステップでは、前記撮像ステップにより得られた複数の画像のうち、連続して撮影された２つ以上の画像中に粒子の画像が含まれる場合に、それらの２つ以上の画像中の粒子を同一のグループとすることを特徴とする粒子画像解析方法。
【発明の詳細な説明】
【技術分野】
【０００１】
本発明は、液体試料中の粒子の画像を解析するための粒子画像解析装置及び粒子画像解析方法に関するものである。
【背景技術】
【０００２】
従来より、液体試料中の粒子の画像を解析する粒子画像解析装置が利用されている。粒子画像解析装置では、液体試料を流路に流しながら、撮像部により流路内の所定領域の画像が撮影される。そして、粒子画像解析装置において、この画像が解析され、画像中に粒子が含まれる場合には、その粒子の画像が抽出される（例えば、下記特許文献１参照）。
【０００３】
粒子画像解析装置を用いる際には、液体試料を流路に流しながら、一定の時間間隔で画像が撮影される。そして、複数枚の画像のそれぞれから粒子の画像が抽出される。このように、粒子画像解析装置では、連続的に流される液体試料の画像が一定の時間間隔で撮影される。
【０００４】
このとき、液体試料の流速に対して画像の撮影間隔が長くなりすぎると、液体試料中に粒子が含まれる場合であっても、撮影した画像に粒子が含まれることなく、粒子が流路を通過してしまうことがある。この場合、粒子画像解析装置で粒子の画像を解析することができなくなってしまう。このような状況を避けるため、粒子画像解析装置では、液体試料の流速に対して、ある程度の速さの時間間隔で画像を撮影する必要がある。
【先行技術文献】
【特許文献】
【０００５】
【特許文献１】特開平０９−２２９８４４号公報
【発明の概要】
【発明が解決しようとする課題】
【０００６】
上記した従来の粒子画像解析装置を用いる場合において、解析結果に誤りが生じるという不具合が生じることがあった。具体的には、従来の粒子画像解析装置では、連続的に流される液体試料の画像を一定の時間間隔で撮影する結果、同一の粒子が複数の画像に重複して含まれることがあった。この場合、粒子画像解析装置では、１つの画像に含まれる粒子を１つの粒子としてカウントするため、同一の粒子を複数個の粒子として重複してカウントしていた。その結果、粒子画像解析装置において、粒子の解析結果に誤りが生じるという不具合が生じていた。
【０００７】
本発明は、上記実情に鑑みてなされたものであり、液体試料中の粒子の画像を正確に解析できる粒子画像解析装置及び粒子画像解析方法を提供することを目的とする。
【課題を解決するための手段】
【０００８】
（１）本発明に係る粒子画像解析装置は、液体試料中の粒子の画像を解析するための粒子画像解析装置である。前記粒子画像解析装置は、流路と、撮像部と、グルーピング処理部とを備える。前記流路には、液体試料が流れる。前記撮像部は、前記流路内の少なくとも一部を含む撮影領域の画像を撮影する。前記グルーピング処理部は、前記撮像部により得られた画像に含まれる粒子の画像をグループ化するためのグルーピング処理を行う。前記撮像部は、前記流路内を流れる液体試料中の粒子が前記撮影領域を通過する時間よりも短い間隔で、前記撮影領域の画像を複数撮影する。前記グルーピング処理部は、前記撮像部により得られた複数の画像のうち、連続して撮影された２つ以上の画像中に粒子の画像が含まれる場合に、それらの２つ以上の画像中の粒子を同一のグループとする。
【０００９】
粒子画像解析装置において、撮像部による撮影の間隔が液体試料の流速に対して短い場合には、撮像部により撮影する複数の画像に同一の粒子が重複して含まれることがある。そして、この複数の画像のそれぞれに対して、粒子の画像をそのまま抽出すると、同一の粒子を複数個の粒子として重複してカウントすることとなり、解析結果に誤りが生じてしまう。
【００１０】
上記のような構成によれば、撮像部により撮影された複数の画像のうち、連続して撮影された画像中に粒子の画像が含まれる場合には、グルーピング処理部によりそれらの粒子は同一のグループとしてグループ化される。
【００１１】
そのため、撮像部により撮影された複数の画像に同一の粒子の画像が含まれる場合に、その同一の粒子の画像をグループ化することができる。そして、グループ化した粒子については、１つの粒子として扱えば、同一の粒子を複数個の粒子として重複してカウントすることを防ぐことができる。そして、解析結果に誤りが生じることを防ぐことができる。
その結果、液体試料中の粒子の画像を正確に解析できる。
【００１２】
（２）また、前記グルーピング処理部は、前記２つ以上の画像中の粒子の形状に基づいて、それらの粒子を同一のグループとするか否かを決定してもよい。
【００１３】
このような構成によれば、撮像部により撮影された複数の画像に粒子の画像が含まれる場合であっても、これらの粒子の形状が異なるような場合には、これらの粒子の画像をグループ化することなく、別の粒子の画像として扱うことができる。そして、撮像部により撮影された複数の画像に同一の粒子の画像が重複して含まれる可能性が高い場合に、これらの粒子の画像をグループ化することができる。
そのため、液体試料中の粒子の画像を一層正確に解析できる。
【００１４】
（３）また、粒子画像解析装置は、表示処理部をさらに備えてもよい。前記表示処理部は、前記グルーピング処理部により同一のグループとされた２つ以上の画像中の粒子をグループごとに表示させる。
【００１５】
このような構成によれば、ユーザに対して、グループ化した結果を認識させることができる。
【００１６】
（４）また、前記グルーピング処理部は、前記流路内を流れる液体試料の流速が相対的に遅い場合にのみ前記グルーピング処理を行ってもよい。
【００１７】
このような構成によれば、グルーピング処理が効果的な状況で、グルーピング処理部によるグルーピング処理を行うことができる。
【００１８】
（５）また、前記グルーピング処理部は、前記流路内に液体試料を流すためのポンプの流量、又は、前記撮像部により撮影を行う時間間隔に基づいて、前記流路内を流れる液体試料の流速が相対的に遅いか否かを判断してもよい。
【００１９】
このような構成によれば、グルーピング処理が効果的な状況で、グルーピング処理部によるグルーピング処理を行うことができる。
【００２０】
（６）本発明に係る粒子画像解析方法は、液体試料中の粒子の画像を解析するための粒子画像解析方法である。前記粒子画像解析方法は、撮像ステップと、グルーピングステップとを含む。前記撮像ステップでは、液体試料が流れる流路内の少なくとも一部を含む撮影領域の画像を撮影する。前記グルーピングステップでは、前記撮像ステップにより得られた画像に含まれる粒子の画像をグループ化する。前記撮像ステップでは、前記流路内を流れる液体試料中の粒子が前記撮影領域を通過する時間よりも短い間隔で、前記撮影領域の画像を複数撮影する。前記グルーピングステップでは、前記撮像ステップにより得られた複数の画像のうち、連続して撮影された２つ以上の画像中に粒子の画像が含まれる場合に、それらの２つ以上の画像中の粒子を同一のグループとする。
【発明の効果】
【００２１】
本発明によれば、撮像部により撮影された複数の画像のうち、連続して撮影された画像中に粒子の画像が含まれる場合には、グルーピング処理部によりそれらの粒子は同一のグループとしてグループ化される。そのため、撮像部により撮影された複数の画像に同一の粒子の画像が含まれる場合に、その同一の粒子の画像をグループ化することができる。そのため、液体試料中の粒子の画像を正確に解析できる。
【図面の簡単な説明】
【００２２】
【図１】本発明の一実施形態に係る粒子画像解析装置の構成を示した概略図である。
【図２】粒子画像解析装置の制御部及びその周辺の部材の電気的構成を示したブロック図である。
【図３】粒子画像解析装置の制御部による制御動作の一例を示したフローチャートである。
【図４】粒子画像解析装置の撮像部により撮影された複数の画像のイメージを示した概念図である。
【図５】粒子画像解析装置の表示部における表示内容の一例を示した図である。
【発明を実施するための形態】
【００２３】
１．粒子画像解析装置の全体構成
図１は、本発明の一実施形態に係る粒子画像解析装置１の構成を示した概略図である。
粒子画像解析装置１は、液体試料中の粒子の画像を解析するための装置である。粒子画像解析装置１は、光源部２と、フローセル３と、撮像部４と、フィールドレンズ５と、コンデンサレンズ６と、対物レンズ７と、投影レンズ８とを備えている。
【００２４】
光源部２は、例えば、フラッシュランプなどであって、パルス光を照射するように構成されている。
フローセル３は、光の照射方向において、光源部２の下流側に配置されている。フローセル３内は、液体試料が通過する流路を形成している。フローセル３には、図示しないポンプが接続されており、このポンプの動作により連続的に液体試料が導入される。
【００２５】
撮像部４は、光の照射方向において、フローセル３の下流側に配置されている。撮像部４は、例えば、カメラなどにより構成される。
フィールドレンズ５及びコンデンサレンズ６は、光源部２とフローセル３との間に配置されている。フィールドレンズ５は、光源部２と対向するように配置されている。コンデンサレンズ６は、フローセル３と対向するように配置されている。
【００２６】
対物レンズ７及び投影レンズ８は、フローセル３と撮像部４との間に配置されている。対物レンズ７は、フローセル３と対向するように配置されている。投影レンズ８は、撮像部４と対向するように配置されている。
【００２７】
この例では、粒子画像解析装置１は、液体試料に含まれる粒子を検出する際に用いられる。例えば、液体試料には、比較的濃度が低い状態で粒子が含まれている。また、例えば、粒子画像解析装置１は、液体試料から間欠的に粒子が検出するような測定（コンタミ測定）の際に用いられる。
【００２８】
粒子画像解析装置１を用いる場合には、まず、フローセル３内に液体試料が連続的に流される。そして、この状態で光源部２から光が照射される。光源部２から照射された光は、フィールドレンズ５を通過して平行光となり、さらに、コンデンサレンズ６を通過してフローセル３内の所定領域（撮影領域）に集束される。フローセル３内の液体試料に照射された光は、対物レンズ７を通過して結像位置Ａで結像され、さらに、投影レンズ８を通過して撮像部４に投影される。そして、撮像部４において撮影が行われる。粒子画像解析装置１では、撮像部４における撮影が一定の時間間隔で行われる。
【００２９】
粒子画像解析装置１では、撮像部４が撮影した画像が解析され、画像に粒子が含まれる場合には、その粒子の画像が抽出される。そして、抽出された粒子の画像が表示される（後述する）。
【００３０】
２．制御部及びその周辺の部材の電気的構成
図２は、粒子画像解析装置１の制御部１１及びその周辺の部材の電気的構成を示したブロック図である。
粒子画像解析装置１は、上記した撮像部４に加えて、記憶部９、表示部１０及び制御部１１などを電気的構成として備えている。
【００３１】
記憶部９は、ＲＯＭ（Read Only Memory）、ＲＡＭ（Random Access Memory）及びハードディスクなどにより構成されている。記憶部９には、測定条件情報９１が記憶されている。測定条件情報９１は、粒子画像解析装置１における測定条件に関する情報であって、予め記憶部９に記憶されている。具体的には、測定条件情報９１には、フローセル３に導入される液体試料の流速、フローセル３内の撮影領域の寸法、及び、撮像部４による撮影の時間間隔などに関する情報が含まれている。
【００３２】
表示部１０は、例えば、液晶表示器などにより構成される。
制御部１１は、例えば、ＣＰＵ（Central Processing Unit）を含む構成である。制御部１１には、撮像部４、記憶部９及び表示部１０などが電気的に接続されている。制御部１１は、ＣＰＵがプログラムを実行することにより、動作処理部１１１、抽出処理部１１２、グルーピング処理部１１３及び表示処理部１１４などとして機能する。
【００３３】
動作処理部１１１は、撮像部４の撮影動作を制御する処理を行う。また、動作処理部１１１は、フローセル３に液体試料を流すためのポンプ（図示せず）の動作を制御する処理を行う。
抽出処理部１１２は、撮像部４が撮影した画像から粒子の画像を抽出する処理を行う。
【００３４】
グルーピング処理部１１３は、撮像部４が撮影した画像、及び、記憶部９の測定条件に基づいて、抽出処理部１１２が抽出した粒子の画像をグループ化する処理を行う。
【００３５】
表示処理部１１４は、抽出処理部１１２が抽出した粒子の画像、及び、グルーピング処理部１１３によるグループ化の結果を表示部１０に表示させる処理を行う。
【００３６】
３．制御部による制御動作
図３は、制御部１１による制御動作の一例を示したフローチャートである。
粒子画像解析装置１では、複数の測定条件情報９１が記憶部９に記憶されている。そして、ユーザが操作部（図示せず）を操作することで、所定の測定条件情報９１が選択され、その測定条件情報９１に基づいて測定が行われる。
【００３７】
具体的には、動作処理部１１１は、図示しないポンプを動作させて、測定条件情報９１から導き出される所定の流速で液体試料を連続的にフローセル３に導入させる。そして、動作処理部１１１は、測定条件情報９１から導き出される撮影時間間隔となるように、一定間隔で撮像部４による撮影動作を実施させる（ステップＳ１０１：撮像ステップ）。このとき、撮像部４は、フローセル３内を流れる液体試料が撮影領域を通過するよりも短い時間間隔で、複数の画像を撮影する。
【００３８】
図４は、撮像部４により撮影された複数の画像のイメージを示した概念図である。図４では、各画像の下方に記されている数字が、撮影された順番を示している。具体的には、図４では、撮像部４で順々に撮影された７個の画像が示されており、撮影されたタイミングが早い画像ほど左側に配置され、撮影されたタイミングが遅い画像ほど右側に配置されている。各画像は、フローセル３の所定領域（撮影領域）を流れる液体試料の画像である。また、図４の各画像は、上方から下方に向かって液体試料が流れるとした場合の静止画像を示している。
【００３９】
図４において、Ｌは、フローセル３における撮影領域の流入方向の寸法を示している。また、図４では、各画像に粒子が含まれる場合には、その粒子をＰで示している。
図４に示すように、この例では、２番目、３番目、５番目及び７番目に撮影された画像に粒子Ｐが含まれている。
【００４０】
このようにして、撮像部４により複数の画像が撮影されると、抽出処理部１１２は、各画像に含まれる粒子の画像を特定し、その粒子の画像を抽出する処理を行う（ステップＳ１０２：抽出ステップ）。この例では、抽出処理部１１２は、図４に示す２番目、３番目、５番目及び７番目の画像のそれぞれから、粒子Ｐの画像（粒子Ｐの画像、及び、その周辺の画像）を抽出する。
【００４１】
そして、グルーピング処理部１１３は、フローセル３内を流れる液体試料の流速が相対的に遅いか否かを判断し、遅いと判断した場合に（ステップＳ１０３でＹＥＳ）、抽出処理部１１２が抽出した粒子の画像をグループ化する処理（ステップＳ１０４：グルーピングステップ）を実施する。
【００４２】
具体的には、グルーピング処理部１１３は、下記式（１）が満たされる場合に、フローセル３内を流れる液体試料の流速が相対的に遅いと判断する。
Ｖ×ｔ＜Ｌ  ・・・（１）
【００４３】
式（１）における各値は、記憶部９に記憶されている測定条件情報９１から導き出される値である。具体的には、Ｖは、フローセル３内を流れる液体試料の流速を示しており、ｔは、撮像部４により撮影の時間間隔を示しており、Ｌは、フローセル３における撮影領域の流入方向の寸法を示している。Ｖは、例えば、フローセル３内に液体試料を導入するポンプの流量の情報、及び、フローセル３における撮影領域の断面積の情報から導き出される。
【００４４】
すなわち、グルーピング処理部１１３は、記憶部９の測定条件情報９１を読み出し、その情報から導き出される値を式（１）に代入し、式（１）が成り立つ場合に、フローセル３内を流れる液体試料の流速が相対的に遅いと判断する。
【００４５】
式（１）は、フローセル３内の撮影領域を液体試料が通過するよりも短い時間間隔で、撮像部４により撮影が行われることを意味している。
なお、グルーピング処理部１１３は、下記式（２）が満たされる場合に、フローセル３内を流れる液体試料の流速が相対的に遅いと判断しもてよい。
Ｖ×ｔ＜Ｌ／２  ・・・（２）
【００４６】
式（２）は、フローセル３内の撮影領域の半分を液体試料が通過するよりも短い時間間隔で、撮像部４により撮影が行われることを意味している。
【００４７】
そして、グルーピング処理部１１３によるグルーピング処理は、以下のようにして実施される。
まず、グルーピング処理部１１３は、撮像部４が撮影した複数の画像のうち、連続して撮影された２つ以上の画像中に粒子の画像が含まれる場合に、それらの画像中の粒子を同一のグループとするグループ化を行う。
【００４８】
この例では、図４に示すように、２番目、３番目、５番目及び７番目の画像のそれぞれに粒子Ｐが存在している。そのうち、連続して撮影された画像は、２番目及び３番目の画像である。このことから、グルーピング処理部１１３は、２番目の画像から抽出された粒子Ｐの画像、及び、３番目の画像から抽出された粒子Ｐの画像を同一のグループとしてグループ化する。
【００４９】
このとき、グルーピング処理部１１３は、各画像の粒子Ｐの形状に基づいて、同一のグループとするか否かを決定する。具体的には、グルーピング処理部１１３は、粒子径、円形度、アスペクト比といった形状パラメータを、実際の粒子Ｐの形状と比較し、一定の条件を満たす場合に、その粒子Ｐをグループ化する処理を行う。例えば、各画像の粒子Ｐの粒子径の差異が±１０％以内、かつ、アスペクト比が２０％以内である場合には、同一の粒子であるとしてグループ化する処理を行う。
【００５０】
また、グルーピング処理部１１３は、各画像における粒子Ｐの位置に基づいて、同一のグループとするか否かを決定してもよい。具体的には、グルーピング処理部１１３は、連続して撮影された画像に含まれる粒子Ｐが、流入方向（図４の上下方向）や、流入方向と直交する直交方向（図４の左右方向）において、所定の範囲内におさまっている場合などに、それらの粒子を同一の粒子であるとしてグループ化する処理を行ってもよい。このようにすれば、抽出された粒子の画像が同一の粒子である可能性が高い場合にのみ、グループ化の処理を行うことができる。例えば、図４の２番目に存在する粒子と３番目に存在する粒子は左右方向の位置がほぼ一致しているので同一の粒子である可能性があると見なすことができる。それに対して、図４の５番目に存在する粒子と７番目に存在する粒子は左右方向の位置が異なっているので同一の粒子である可能性がないと見なすことができる。
【００５１】
そして、表示処理部１１４は、抽出処理部１１２が抽出した粒子Ｐの画像、及び、グルーピング処理部１１３によるグルーピング処理の内容を表示部１０に表示させる（ステップＳ１０５）。
【００５２】
図５は、表示部１０における表示内容の一例を示した図である。図５では、抽出処理部１１２が抽出した粒子Ｐの画像が、ａ１〜ａ４で示されている。ａ１の画像は、抽出処理部１１２によって、図４に示す２番目の画像から抽出された粒子Ｐの画像である。ａ２の画像は、抽出処理部１１２によって、図４に示す３番目の画像から抽出された粒子Ｐの画像である。ａ３の画像は、抽出処理部１１２によって、図４に示す５番目の画像から抽出された粒子Ｐの画像である。ａ４の画像は、抽出処理部１１２によって、図４に示す７番目の画像から抽出された粒子Ｐの画像である。
【００５３】
上記したように、グルーピング処理部１１３によって、２番目の画像から抽出された粒子Ｐの画像、及び、３番目の画像から抽出された粒子Ｐの画像が同一のグループとしてグループ化されている。そのため、表示処理部１１４は、２番目の画像から抽出された粒子Ｐの画像であるａ１の画像と、３番目の画像から抽出された粒子Ｐの画像であるａ２の画像とを、例えば、枠ｂによって囲むことにより、グループ化されていることを表示する。
【００５４】
なお、表示処理部１１４は、グループ化された粒子の画像を、枠で囲む以外の方法で表示してもよい。
これにより、表示部１０を確認したユーザは、ａ１の画像で示される粒子、及び、ａ２の画像で示される粒子については、同一の粒子であると判断する。
【００５５】
このように、粒子画像解析装置１では、撮像部４により撮影された画像に含まれる粒子のうち、重複して画像に表れる粒子については、グルーピング処理部１１３によりグループ化される。そして、抽出した粒子の画像とともに、グループ化の結果が表示部１０に表示される。
【００５６】
一方、グルーピング処理部１１３がフローセル３内を流れる液体試料の流速が相対的に遅いと判断しない場合には（ステップＳ１０３でＮＯ）、グループ化の処理は行われず、抽出処理部１１２により抽出された粒子が表示部１０に表示される（ステップＳ１０６）
。
【００５７】
４．作用効果
（１）本実施形態によれば、粒子画像解析装置１は、フローセル３と、フローセル３内を流れる液体試料の画像を撮影する撮像部４と、制御部１１とを備える。制御部１１には、グルーピング処理部１１３が含まれる。粒子画像解析装置１において、撮像部４により撮影された複数の画像のうち、連続して撮影された画像中に粒子の画像が含まれる場合には、グルーピング処理部１１３によりそれらの粒子は同一のグループとしてグループ化される（図３のステップＳ１０１：グルーピングステップ）。
【００５８】
そのため、撮像部４により撮影された複数の画像に同一の粒子の画像が重複して含まれる場合に、その同一の粒子の画像をグループ化することができる。そして、グループ化した粒子については、１つの粒子として扱えば、同一の粒子を複数個の粒子として重複してカウントすることを防ぐことができる。そして、解析結果に誤りが生じることを防ぐことができる。
その結果、液体試料中の粒子の画像を正確に解析できる。
【００５９】
（２）また、本実施形態によれば、グルーピング処理部１１３は、２つ以上の画像中の粒子の形状に基づいて、それらの粒子を同一のグループとするか否かを決定する。
【００６０】
そのため、撮像部４により撮影された複数の画像に粒子の画像が含まれる場合であっても、これらの粒子の形状が異なるような場合には、これらの粒子の画像をグループ化することなく、別の粒子の画像として扱うことができる。そして、撮像部４により撮影された複数の画像に同一の粒子の画像が重複して含まれる可能性が高い場合に、これらの粒子の画像をグループ化することができる。
そのため、液体試料中の粒子の画像を一層正確に解析できる。
【００６１】
（３）また、本実施形態によれば、粒子画像解析装置１において、制御部１１には、表示処理部１１４が含まれる。表示処理部１１４は、図５に示すように、グルーピング処理部１１３により同一のグループとされた２つ以上の画像中の粒子を、枠ｂで囲むなどして、グループごとに表示させる。
そのため、ユーザに対して、グループ化した結果を認識させることができる。
【００６２】
（４）また、本実施形態によれば、グルーピング処理部１１３は、フローセル３内を流れる液体試料の流速が相対的に遅い場合にのみグルーピング処理を行う。
そのため、グルーピング処理が効果的な状況で、グルーピング処理部１１３によるグルーピング処理を行うことができる。
【００６３】
（５）また、本実施形態によれば、グルーピング処理部１１３は、フローセル３内に液体試料を流すためのポンプの流量、又は、撮像部４により撮影を行う時間間隔に基づいて、フローセル３内を流れる液体試料の流速が相対的に遅いか否かを判断する。
そのため、グルーピング処理が効果的な状況で、グルーピング処理部１１３によるグルーピング処理を行うことができる。
【００６４】
５．変形例
以上の実施形態では、グルーピング処理部１１３は、抽出処理部１１２により抽出された粒子の画像をグループ化するとして説明した。しかし、抽出処理部１１２による抽出処理が実施されなくてもよい。そして、グルーピング処理部１１３は、撮像部４が撮影した画像に粒子が含まれる場合に、その画像自体をグルーピングする処理を行ってもよい。
【符号の説明】
【００６５】
１      粒子画像解析装置
３      フローセル
４      撮像部
１０    表示部
１１    制御部
１１３  グルーピング処理部
１１４  表示処理部
Ｐ      粒子
ａ１〜ａ４  画像
ｂ      枠
【図１】
2019100988.tif 000003
【図２】
2019100988.tif 000004
【図３】
2019100988.tif 000005
【図４】
2019100988.tif 000006
【図５】
2019100988.tif 000007